(57)【要約】【課題】履物にカビが生えるのを防止することができる履物包装キットを提供する。【解決手段】本発明に係る履物包装キットは、乾燥剤と、この乾燥剤が装填されていると共に、空気を通すが乾燥剤を通さない複数の微小な通気孔が設けられている透明な乾燥剤袋とを有する乾燥ユニット５と、乾燥ユニット５及び履物３を封入できるように袋状に構成された透明な袋状部４１と、袋状部４１に履物３及び乾燥ユニット５を出し入れできるように設けられた密閉可能な開口部４２とを有する履物袋４と、履物３及び乾燥ユニット５が封入された履物袋４を収納できるように箱状に構成されたシューズケースとを具える。【選択図】図３
2015160132.tif 000002
【特許請求の範囲】
【請求項１】
履物を包装するための包装キットであって、
乾燥剤と、前記乾燥剤が装填されていると共に、空気を通すが前記乾燥剤を通さない複数の微小な通気孔が設けられている透明な乾燥剤袋とを有する乾燥ユニットと、
前記乾燥ユニット及び前記履物を封入できるように袋状に構成された透明な袋状部と、前記袋状部に前記履物及び前記乾燥ユニットを出し入れできるように設けられた密閉可能な開口部とを有する履物袋と、
前記履物及び前記乾燥ユニットが封入された前記履物袋を収納できるように箱状に構成されたシューズケースと、を具えることを特徴とする履物包装キット。
【請求項２】
前記シューズケースには、前記シューズケースの内部が視認できる窓部が設けられており、
前記履物袋の内表面には、前記シューズケースの前記窓部の位置に対応して乾燥ユニット設置箇所の指示表記部が設けられており、
前記乾燥ユニットは、前記履物袋の内表面において前記乾燥ユニット設置箇所の指示表記部に設けられていることを特徴とする請求項１に記載の履物包装キット。
【請求項３】
前記シューズケースには、前記窓部となる開口が設けられていることを特徴とする請求項２に記載の履物包装キット。
【請求項４】
前記窓部は、前記開口を覆う透明フィルムを有することを特徴とする請求項３に記載の履物包装キット。
【請求項５】
前記履物袋の前記袋状部に貫通孔が設けられていることを特徴とする請求項１〜４のいずれか１項に記載の履物包装キット。
【請求項６】
前記履物袋は、前記貫通孔を気密に塞ぐ蓋部材を有することを特徴とする請求項５に記載の履物包装キット。
【請求項７】
前記履物袋の前記袋状部は、一足の前記履物を封入できるように構成されたものであり、
前記履物袋は、前記袋状部に封入される一足の前記履物の内の個々の履物同士を仕切ることができるように設けられる仕切り部を有することを特徴とする請求項１〜６のいずれか１項に記載の履物包装キット。
【請求項８】
前記履物袋に防カビ部材が更に封入されていることを特徴とする請求項１〜７のいずれか１項に記載の履物包装キット。
【請求項９】
前記乾燥剤袋に防カビ部材が更に封入されていることを特徴とする請求項１〜８のいずれか１項に記載の履物包装キット。
【請求項１０】
前記乾燥剤袋に湿度表示剤が更に装填されていることを特徴とする請求項１〜９のいずれか１項に記載の履物包装キット。
【請求項１１】
前記乾燥ユニットは、湿度表示剤が装填されている湿度表示剤袋を更に有し、前記湿度表示剤袋は前記乾燥剤袋に取り付けられていることを特徴とする請求項１〜９のいずれか１項に記載の履物包装キット。
【請求項１２】
前記湿度表示剤袋には、装填されている前記湿度表示剤を視認するための視認窓が設けられていることを特徴とする請求項１０に記載の履物包装キット。
【発明の詳細な説明】
【技術分野】
【０００１】
本発明は、物品の包装に関し、特にカビの発生防止を主な目的として履物を包装するための包装キットに関する。
【背景技術】
【０００２】
履物は、運搬や収納の際に紙に包まれてから紙箱に入れられることが多いが、このように包装された状態では、外部からの湿気が包装内部に入り込んでカビが生え易い上に、カビが生えても、包装を解いて包み紙を外さないとカビが生えたことが視認できない。
【０００３】
このような履物の包装の従来例を図１及び図２に示した。履物９１は、包装紙９２に包まれてから、一足の履物９１を収容できるように主にボール紙で箱状に構成されたシューズケース９３に入れられる。また、履物の包装の他の従来例として、特許文献１に記載のものでは、一足の履物を収めた際に箱の中で２つの履物同士が接触しないように設けられた仕切り部を設けた靴箱が用いられている。このように履物が収められたシューズケース９３は、更に運搬の便宜のために図２に示されているようにダンボール箱９４に複数個まとめて収納される。
【０００４】
履物９１は、水気を多少なりとも含んでいるものであり、収納されてしまうと通気性も悪くなるのでカビがより生え易くなる。湿気を吸収するためにシューズケース９３に乾燥剤が入れられる場合もあるが、シューズケース９３に入れてしまうと外から見えなくなるので、乾燥剤の吸湿状態も分からなくなってしまう。乾燥剤の状態が見えないと、シューズケース９３内部の湿気具合や乾燥剤の交換時期なども分からない。また、運搬の過程では、シューズケース９３を入れたダンボール箱９４が、コンテナ内に染み込んだ雨水やコンテナの内壁での結露による水滴などにより、濡れてしまう場合もある。水気はシューズケース９３内にも染み込み、履物９１にカビが生える原因となる。
【０００５】
カビの発生を防止する方法としては、内容物を真空包装して外部からの水気を遮断してから容器に入れるといった方法も食品などの分野では用いられているが、これを履物に応用すると、履物が真空包装中で圧迫されて変形の原因になるので、履物への応用には向かない。
【先行技術文献】
【特許文献】
【０００６】
【特許文献１】中国実用新案第０２２８８３９１．６号明細書
【発明の概要】
【発明が解決しようとする課題】
【０００７】
本発明は、上述した従来の履物の包装の問題点に鑑みてなされたものであり、履物にカビが生えるのを防止することができる履物包装キットの提供を目的とする。
【課題を解決するための手段】
【０００８】
上記目的を達成する手段として、本発明は、履物を包装するためのものであって、以下に説明する乾燥ユニットと、該乾燥ユニットが入れられる履物袋と、該履物袋が入れられるシューズケースとを具える履物包装キットを提供する。
ここで、前記乾燥ユニットは、乾燥剤と、前記乾燥剤が装填されていると共に、空気を通すが前記乾燥剤を通さない複数の微小な通気孔が設けられている透明な乾燥剤袋とを有するものである。
【０００９】
また、前記履物袋は、前記乾燥ユニット及び前記履物を封入できるように袋状に構成された透明な袋状部と、前記袋状部に前記履物及び前記乾燥ユニットを出し入れできるように設けられた密閉可能な開口部とを有するものである。
【００１０】
また、前記シューズケースは、前記履物及び前記乾燥ユニットが封入された前記履物袋を収納できるように箱状に構成されたものである。
【００１１】
更に、本発明に係る履物包装キットにおいては、前記シューズケースに、その内部が視認できる窓部が設けられており、前記履物袋の内表面に、前記窓部の位置に対応して乾燥ユニット設置箇所の指示表記部が設けられており、前記乾燥ユニットは、前記履物袋の内表面において前記乾燥ユニット設置箇所の指示表記部に設けられていることが好ましい。
【発明の効果】
【００１２】
上記手段によれば、履物を乾燥ユニットと共に履物袋に封入された状態でシューズケースに収納することができるので、外部の水気から隔離できる上に、乾燥剤の乾燥状態維持効果が高まる。更に、乾燥剤袋と履物袋がいずれも透明なものであり、履物袋に封入された乾燥剤の状態が、乾燥ユニットを履物袋から出すことなく確認することができるので、例えば搬送や収納時においても、乾燥剤の状態から容易に履物袋内の湿気具合を把握することができ、カビの発生を防ぐことが可能となる。
【図面の簡単な説明】
【００１３】
【図１】従来の履物の包装を示す説明する図である。
【図２】従来の履物の包装を示す説明する図である。
【図３】本発明に係る履物包装キットの第１の実施形態における履物袋及び乾燥ユニットを示す分解斜視図である。
【図４】第１の実施形態における乾燥ユニットを示す分解斜視図である。
【図５】第１の実施形態において履物がシューズケースに収納された状態を示す斜視図である。
【図６】第１の実施形態において履物袋の内面に設けられた乾燥ユニットとシューズケースの窓部との位置関係を示す部分断面図である。
【図７】本発明に係る履物包装キットの第２の実施形態における履物袋及び乾燥ユニットを示す分解斜視図である。
【図８】第２の実施形態において履物袋の内面に設けられた乾燥ユニットとシューズケースの窓部との位置関係を示す部分断面図である。
【図９】本発明に係る履物包装キットの第３の実施形態における履物袋及び乾燥ユニットを示す分解斜視図である。
【図１０】第３の実施形態において履物袋の貫通孔から乾燥ユニットを入れる態様を示す説明する図である。
【図１１】第３の実施形態において履物がシューズケースに収納された状態を示す斜視図である。
【図１２】本発明に係る履物包装キットの第４の実施形態における履物袋、乾燥ユニット及び防カビ部材を示す分解斜視図である。
【図１３】乾燥ユニットの他例を示す分解斜視図である。
【図１４】乾燥ユニットの別の他例を示す斜視図である。
【発明を実施するための形態】
【００１４】
本発明に係る履物包装キットは、靴、ブーツ、サンダルなどの履物を収納できると共に、収納された履物にカビが生えるのを防止することができるように構成されるものである。
以下、添付図面を参照しながら、本発明に係る履物包装キットの各実施形態を詳細に説明する。
【００１５】
（第１の実施形態：図３〜図６）
図３〜図６を参照に、本発明に係る履物包装キットの第１の実施形態を以下に説明する。
履物包装キットは、履物３を収納するためのものであって、シューズケース２と、履物３が封入された状態でシューズケース２に収められる履物袋４と、履物袋４内に封入される乾燥ユニット５と、履物袋４内に設けられる仕切り部６とを具える（以上、主に図５参照）。
【００１６】
シューズケース２は、図５に示されているように、箱状に構成されたものであって、シューズケース２の内部が視認できるように設けられた窓部２１を有する。窓部２１は、シューズケース２の側面に開けられた開口２１１と、開口２１１を覆う透明フィルム２１２とを有する（図６も共に参照）。
【００１７】
乾燥ユニット５は、図４に示されているように、乾燥剤５３と、湿度表示剤５４と、乾燥剤５３及び湿度表示剤５４が装填されていると共に、空気を通すが乾燥剤５３及び湿度表示剤５４を通さない複数の微小な通気孔５２が設けられている透明な乾燥剤袋５１とを有する。
【００１８】
乾燥剤袋５１は、中身（乾燥剤５３と湿度表示剤５４）の様子が視認できる程度に透明であって且つ通気性を有するものであればよく、上述の通気孔５２を有する透明樹脂製の袋、あるいは不織布からなる袋を用いることができる。
【００１９】
乾燥剤５３としてはＡ型シリカゲルを用いることができる。また、湿度表示剤５４としては、湿度状態が外観の変化により知れるもの、例えば塩化コバルト、硫酸アンモニウム鉄、塩化銅を用いることができる。なお、乾燥剤５３及び湿度表示剤５４としては、以上に挙げたものに限らず、同様の効果を有する他の素材を用いてもよい。また、乾燥剤５３としてそれ自体が湿度状態を外観で呈示できるもの（例えば吸湿と共に色や形状が変化するもの）を用いれば、湿度指示剤５４を用いなくてもよい。
【００２０】
履物袋４は、履物３（本実施形態では一足）及び乾燥ユニット５を封入できるように袋状に構成された透明な袋状部４１と、履物３及び乾燥ユニット５を出し入れできるように開閉でき、且つ、閉じられた際に袋状部４１の内部が密閉されるように密閉可能に袋状部４１の一端側に設けられた開口部４２とを有する（以上図３参照）。
【００２１】
開口部４２には上述のように開口部４２を密閉可能にする一組のレールファスナー４３が設けられている。また、開口部４２と袋状部４１の上記一端との間の部分は履物袋４の取手となる取手孔４４１が設けられた取手部４４として構成されている（以上図３参照）。
【００２２】
また、袋状部４１の内表面には、履物３が封入された履物袋４がシューズケース２に収められた際にシューズケース２の窓部２１に位置対応する箇所に、乾燥ユニット５を設置する箇所を指示する乾燥ユニット設置箇所指示表記部４５（以下単に指示表記部４５）が設けられている。なお、指示表記部４５は、袋状部４１の内表面に例えば印刷により記された枠状の図案である（以上図３参照）。
【００２３】
本実施形態において、履物袋４は、透明な樹脂からなるものであり水を通さないものである。材料となる樹脂としてはポリ乳酸などの生分解性プラスチックが環境保護の観点から好ましい。また、防水効果を有するものであれば、例えば防水処理が施された布を履物袋４の材料とすることもできる。
図５や図６に示されている仕切り部６は、履物袋４内で履物３同士が摩擦し合わないように、封入される履物３（本実施形態では一足）の内の個々の履物同士を仕切ることができるように設けられる。
【００２４】
以下に、本実施形態における履物包装キットにより一足の履物３を収納する際の使用態様を説明する。
使用時には、乾燥ユニット５を開口部４２から入れて履物袋４内の指示表記部４５に粘着剤又は粘着テープによって貼り付ける（図３、図５及び図６参照）。次に、履物３を開口部４２から履物袋４内に入れると共に、仕切り部６により個々の履物同士を仕切ってから、一組のレールファスナー４３を閉じ合わせて開口部４２を密閉する。このように履物３及び乾燥ユニット５が封入されて密閉された履物袋４を、指示表記部４５に貼り付けられた乾燥ユニット５がシューズケース２の窓部２１に位置に来るように、シューズケース２内に収める。これにより、シューズケース２の外部から、窓部２１を通して、乾燥ユニット５を視認できるようになる。なお、履物袋４をシューズケース２内に収める際には、履物袋４の取手部４４を持つことができる（図３参照）。
【００２５】
以上のように履物３を収納した履物包装キットは、履物３が乾燥ユニット５と共に履物袋４に封入された状態でシューズケース２に収納されているので、外部の水気から履物３を隔離できる上に、乾燥ユニット５の乾燥剤５３が履物袋４内の乾燥状態を維持する効果が高まる。加えて、乾燥剤袋５１と履物袋４がいずれも透明なものであり、履物袋４に封入された乾燥剤５３又は湿度表示剤５４の状態が、履物袋４の外から確認でき、更にはシューズケース２の蓋をした状態でも、窓部２１を通してシューズケース２の外から確認することができるので、例えば運搬や収納時においても、乾燥剤５３の状態から容易に履物袋４内の湿気具合を把握することができ、カビの発生を防ぐことが可能となる。
【００２６】
例えば、シューズケース２の外から乾燥ユニット５の状態を確認し、履物袋４内の湿度が運送過程で必要な長期間の収納に適していることが確認できた場合、複数のシューズケース２を収めることができる外箱（図示せず）に入れて運送に供することができる。また、運送の過程においても、例えば雨やその他の水気が外箱に染み込みシューズケース２が濡れてしまっても、履物３は水気を通さない履物袋４内に封入されているので、水気を受けてカビが発生することが防がれる。
【００２７】
なお、履物袋４は複数足の履物３を封入できる比較的大きなサイズであってもよく、一足の履物３の内の片方のみを封入できる比較的小さなサイズにしてそれぞれ一足の履物３の片方ずつが封入された２つの履物袋４を１つのシューズケース２に収めるようにしてもよい。
【００２８】
（第２の実施形態：図７、図８）
図７、図８を参照して、本発明に係る履物包装キットの第２の実施形態を以下に説明する。
本実施形態は、第１の実施形態に準ずるが以下の点で異なる。
シューズケース２の窓部２１は開口２１１のみで、第１の実施形態にあった透明フィルム２１２を有しない。
【００２９】
履物袋４の袋状部４１に複数の貫通孔４１１が設けられている（図７参照）。貫通孔４１１は、それぞれ空気と空気に含まれる水蒸気は通るが液体は通らない程度の孔径を有するように設けられたものである。
【００３０】
使用時には、乾燥ユニット５を履物袋４内の指示表記部４５に粘着剤又は粘着テープによって貼り付ける。次に、履物３を履物袋４内に入れると共に、仕切り部６により個々の履物同士を仕切ってから、一組のレールファスナー４３を閉じ合わせて開口部４２を密閉する。この時、履物袋４を外から押さえるように圧することにより、履物袋４内の空気を貫通孔４１１から排出させるようにすれば、履物袋４内の湿気も外に排出できると共に、履物袋４がかさばらなくなる。その後については、上記第１の実施形態と同様に、履物袋４をシューズケース２に収めれば、履物３をカビの発生が防止された状態で収納することができる。
【００３１】
なお、本実施形態において、履物袋４の貫通孔４１１は空気が抜ける程度の大きさであり、水が通らないので、例えば履物袋４が水気を受けても、水気が履物袋４内には浸入しないように構成されていることに注意されたい。
【００３２】
（第３の実施形態：図９〜図１１）
図９、図１０、図１１を参照して、本発明に係る履物包装キットの第３の実施形態を以下に説明する。
本実施形態は、第１の実施形態に準ずるが以下の点で異なる。
シューズケース２は窓部２１を有しない。
履物袋４は指示表記部４５を有しない。
履物袋４は、袋状部４１に、乾燥ユニット５が通る程度の大きさに少なくとも１つ設けられた貫通孔４１１Ａと、貫通孔４１１Ａを気密に塞ぐことができる蓋部材４６とを有する。
【００３３】
使用時には、図１０に示されているように、乾燥ユニット５を袋状部４１の貫通孔４１１Ａから履物袋４中に入れてから、履物３を開口部４２から入れると共に、仕切り部６により個々の履物同士を仕切ってから、一組のレールファスナー４３を閉じ合わせて開口部４２を密閉する。この時、履物袋４を外から押さえるように圧すれば、履物袋４内の空気を貫通孔４１１Ａから排出させることができる。履物袋４内の空気を排出させてから、蓋部材４６で貫通孔４１１Ａを気密に塞ぐ。その後については、上記第１の実施形態と同様に、履物袋４をシューズケース２に収めれば、履物３をカビの発生が防止された状態で収納することができる。
なお、蓋部材４６の外側表面には例えば商標図案などを描くことができる。
【００３４】
（第４の実施形態：図１２）
図１２を参照に、本発明に係る履物包装キットの第４の実施形態を以下に説明する。
本実施形態は、第１の実施形態に準ずるが、履物袋４内に、乾燥ユニット５に加えて、防カビ部材７が更に装填される。
【００３５】
防カビ部材７としては、例えば多種の植物から抗真菌作用がある成分を抽出して発酵させて得られたエッセンシャルオイルを、分子化、高圧、高温振動、静置などの処理を経て、多層フィルム又は多層テープに付着させたものを用いることができる。なお、防カビ部材７として多層フィルムを用いれば、袋状部４１の貫通孔４１１Ａから履物袋４内に封入することができる。また、多層テープを用いれば、袋状部４１の内面に直接貼り付けることができる。
【００３６】
なお、本発明に係る履物包装キットにおいては、乾燥ユニット５の乾燥剤袋５１内に防カビ部材７を入れることも可能である。つまり、上記第１の実施形態〜第４の実施形態においても、乾燥ユニット５として防カビ部材７が入れられたものを用いることができる。
更に、上記各実施形態において、乾燥ユニット５として上述のものに代わって、乾燥剤５３と湿度表示剤５４とをそれぞれ別々の袋に入れて構成したものを用いることも可能である。詳しく言うと、乾燥ユニット５としては、図１４に示されているように、乾燥剤５３（図１４では図示省略）が装填された上記実施形態と同様の乾燥剤袋５１Ａと、湿度表示剤５４（図１４では図示省略）が装填されていると共に外部から中身（湿度表示剤５４）の様子（色の変化等）を視認するための細長の視認窓５０１Ａが設けられている湿度表示剤袋５０Ａとを具え、湿度表示剤袋５０Ａがその視認窓５０１Ａを表にして乾燥剤袋５１Ａに例えば粘着などで取り付けられるように構成したものを用いることもできる。なお、この形態でも、乾燥剤袋５１Ａ内に防カビ部材７を入れることも可能である。
【００３７】
以上述べたように、本発明に係る履物包装キットは、履物３を、透明な履物袋４によって乾燥ユニット５と共に包みシューズケース３に収納できるように構成されており、乾燥ユニット５の状態が履物袋４の外部から目視できるので、例えば店舗への搬送などの出荷時に、乾燥剤の状態から容易に履物袋内の湿気具合を把握することができ、これにより履物袋４内の湿度が搬送による長時間の密閉に適するかどうか判断することが容易になる。また、搬送の過程においては、搬送用のコンテナ内の湿気が強かったり水気が浸入したりする場合もあるが、履物３が防水効果のある履物袋４に包まれているので、外部の水気から隔離することができる。更に、搬送あるいは収納の過程でも、履物袋４内の乾燥ユニット５の状態を容易に確認できるので、履物３の品質管理上の利便性が高い。
【００３８】
以上、本発明の好ましい実施形態を説明したが、本発明はこれに限定されるものではなく、その要旨を逸脱しない範囲で種々変更可能であることは言うまでもない。
【産業上の利用可能性】
【００３９】
本発明に係る履物包装キットは、履物を扱う運送、倉庫管理、販売などの業者の利用に供することができるだけでなく、履物の使用者の利用に供することもできる。
【符号の説明】
【００４０】
２                シューズケース
２１              窓部
２１１            開口
２１２            透明フィルム
３                履物
４                履物袋
４１              袋状部
４１１，４１１Ａ  貫通孔
４２              開口部
４３              レールファスナー
４４              取手部
４４１            取手孔
４５              乾燥ユニット設置箇所の指示表記部
４６              蓋部材
５                乾燥ユニット
５０Ａ            湿度表示剤袋
５０１Ａ          視認窓
５１，５１Ａ      乾燥剤袋
５２              通気孔
５３              乾燥剤
５４              湿度表示剤
６                仕切り部
７                防カビ部材
【図１】
2015160132.tif 000003
【図２】
2015160132.tif 000004
【図３】
2015160132.tif 000005
【図４】
2015160132.tif 000006
【図５】
2015160132.tif 000007
【図６】
2015160132.tif 000008
【図７】
2015160132.tif 000009
【図８】
2015160132.tif 000010
【図９】
2015160132.tif 000011
【図１０】
2015160132.tif 000012
【図１１】
2015160132.tif 000013
【図１２】
2015160132.tif 000014
【図１３】
2015160132.tif 000015
【図１４】
2015160132.tif 000016